(57)【要約】【課題】  検索対象を選別することによりユーザに適した情報を提供する検索装置及び検索方法を提供する。【解決手段】  本発明の検索装置は、取得した情報を蓄積する記事蓄積装置１０８と、情報の配信先の端末から、情報のリストを取得するフィードリスト収集装置１０３と、情報のリストを蓄積するユーザ情報蓄積装置１０４と、このフィードリストに基づいて、情報が何人に登録されているかを集計するユーザ情報集計装置１０５と、記事蓄積装置１０８に蓄積された情報の中から、ユーザ情報集計装置１０５による集計結果に基づいて情報を選別する記事選別装置１０７と、選別された情報の中から、検索情報を用いて情報を検索する記事検索装置１０６とを備える。【選択図】図１
2006323648.tif 000002
【特許請求の範囲】
【請求項１】
取得した情報を蓄積する蓄積手段と、
情報の配信先の端末から、情報のリストを取得する取得手段と、
前記情報のリストを蓄積するリスト蓄積手段と、
前記リストに基づいて、情報が何人に登録されているかを集計する集計手段と、
前記蓄積手段に蓄積された情報の中から、前記集計手段による集計結果に基づいて情報を選別する選別手段と、
前記選別された情報の中から、検索情報を用いて情報を検索する検索手段とを備える検索装置。
【請求項２】
前記情報の配信先の端末から、情報を閲覧したか否かを示す既未読情報を取得する既未読情報取得手段を備え、
前記集計手段は、前記既未読情報に基づいて、情報が何人に閲覧されたかを集計し、
前記選別手段は、前記情報が何人に登録されているかの集計結果及び前記情報が何人に閲覧されているかを示す集計結果との少なくとも一方に基づいて情報を選別し、
前記検索手段は、前記選別された情報の中から、検索情報を用いて情報を検索する請求項１記載の検索装置。
【請求項３】
前記情報が、Ｗｅｂサイトの見出しや要約などのデータを記述したフィードである請求項１の検索装置。
【請求項４】
取得した情報を蓄積する蓄積工程と、
情報の配信先の端末から、情報のリストを取得する取得工程と、
前記情報のリストを蓄積するリスト蓄積工程と、
前記リストに基づいて、情報が何人に登録されているかを集計する集計工程と、
前記蓄積工程に蓄積された情報の中から、前記集計工程による集計結果に基づいて情報を選別する選別工程と、
前記選別された情報の中から、検索情報を用いて情報を検索する検索工程とを備える検索方法。
【請求項５】
前記情報の配信先の端末から、情報を閲覧したか否かを示す既未読情報を取得する既未読情報取得工程を備え、
前記集計工程は、前記既未読情報に基づいて、情報が何人に閲覧されたかを集計し、
前記選別工程は、前記情報が何人に登録されているかの集計結果及び前記情報が何人に閲覧されているかを示す集計結果との少なくとも一方に基づいて情報を選別し、
前記検索工程は、前記選別された情報の中から、検索情報を用いて情報を検索する請求項４記載の検索方法。
【発明の詳細な説明】
【技術分野】
【０００１】
本発明は、情報を検索する検索装置及び検索方法に関する。
【背景技術】
【０００２】
現在、インターネット上には、情報を収集するツールとしてさまざまな検索エンジンが存在する。しかし、これらの検索エンジンは、ホームページの情報を収集するために各サイトを巡回するクローリングに時間がかかると共に、検索結果のランキングを行なうためのアルゴリズムがアクセス数やリンク数が多いサイトを高く評価するため、最新情報を検索することが困難である。
【０００３】
そこで、最新情報の収集手段として、最近、注目されているのが、ＲＳＳやＡＴＯＭなどのフィード技術である。このフィード技術は、ホームページの記事などのデータを、フィードというデータにする技術である。そして、このフィード化されたデータを検索するフィード検索エンジンは、通常の検索エンジンでは扱えなかった最新情報を検索することができる。
【特許文献１】特開２００４−７０９３７号公報
【発明の開示】
【発明が解決しようとする課題】
【０００４】
しかし、現在のインターネット上でフィードを配信しているサイトの大部分が日記を主とした個人Ｂｌｏｇであり、フィード検索エンジンでの検索結果で得られる情報もＢｌｏｇの記事ばかりになってしまい、企業のプレスリリースやニュースサイトなどが配信している記事を取得することは難しい。
【０００５】
このような問題に対して一部検索エンジンでは、あらかじめ有名なＢｌｏｇサービスのＵＲＬを登録しておき、そのＵＲＬを含むサイトを検索対象から除外することで個人Ｂｌｏｇが検索結果に含まれるのを防ぐようにしている。しかし、この方法では、Ｂｌｏｇの形態で発信されている全ての情報が、内容や閲覧数に限らず排除されてしまうという問題がある。
【０００６】
本発明は上記事情に鑑みなされたもので、検索対象を選別することによりユーザに適した情報を提供する検索装置及び検索方法を提供することを目的とする。
【課題を解決するための手段】
【０００７】
上記目的を達成するため、
本発明の検索装置は、
取得した情報を蓄積する蓄積手段と、
情報の配信先の端末から、情報のリストを取得する取得手段と、
前記情報のリストを蓄積するリスト蓄積手段と、
前記リストに基づいて、情報が何人に登録されているかを集計する集計手段と、
前記蓄積手段に蓄積された情報の中から、前記集計手段による集計結果に基づいて情報を選別する選別手段と、
前記選別された情報の中から、検索情報を用いて情報を検索する検索手段とを備える。
【０００８】
また、本発明の検索装置は、
前記情報の配信先の端末から、情報を閲覧したか否かを示す既未読情報を取得する既未読情報取得手段を備え、
前記集計手段は、前記既未読情報に基づいて、情報が何人に閲覧されたかを集計し、
前記選別手段は、前記情報が何人に登録されているかの集計結果及び前記情報が何人に閲覧されているかを示す集計結果との少なくとも一方に基づいて情報を選別し、
前記検索手段は、前記選別された情報の中から、検索情報を用いて情報を検索する。
【０００９】
また、本発明の検索装置は、
前記情報が、Ｗｅｂサイトの見出しや要約などのデータを記述したフィードである。
【００１０】
また、本発明の検索方法は、
取得した情報を蓄積する蓄積工程と、
情報の配信先の端末から、情報のリストを取得する取得工程と、
前記情報のリストを蓄積するリスト蓄積工程と、
前記リストに基づいて、情報が何人に登録されているかを集計する集計工程と、
前記蓄積工程に蓄積された情報の中から、前記集計工程による集計結果に基づいて情報を選別する選別工程と、
前記選別された情報の中から、検索情報を用いて情報を検索する検索工程とを備える。
【００１１】
また、本発明の検索方法は、
前記情報の配信先の端末から、情報を閲覧したか否かを示す既未読情報を取得する既未読情報取得工程を備え、
前記集計工程は、前記既未読情報に基づいて、情報が何人に閲覧されたかを集計し、
前記選別工程は、前記情報が何人に登録されているかの集計結果及び前記情報が何人に閲覧されているかを示す集計結果との少なくとも一方に基づいて情報を選別し、
前記検索工程は、前記選別された情報の中から、検索情報を用いて情報を検索する。
【発明の効果】
【００１２】
このように、本発明は、情報の配信先の端末から情報のリストを取得し、このリストに基づいて情報が何人に登録されているかを集計し、この集計結果に基づいて検索対象となる情報を選別しているため、検索結果をユーザに適したものとすることができる。
【００１３】
また、本発明は、情報の配信先の端末から既未読情報を取得し、この既未読情報に基づいて情報が何人に閲覧されたかを集計し、この集計結果に基づいて検索対象となる情報を選別しているため、検索結果をユーザに適したものとすることができる。
【００１４】
また、本発明は、検索される情報が、情報の更新を反映するフィードであるため、最新の情報を検索することに適している。
【００１５】
また、本発明は、情報リストや記事の既未読状態など、ユーザの自然な情報活動から得られるデータに基づいて情報を選別するため、他の一般的な選別方法で用いられるような、興味に関する情報の登録や記事の評価情報等をユーザが入力する必要がない。
【発明を実施するための最良の形態】
【００１６】
（第１の実施形態）
以下、図面を参照して本発明を実施するための最良の形態について説明する。以下の実施の形態の構成は例示であり、本発明は実施の形態の構成に限定されない。また、以下の本発明の検索装置の各実施形態の説明は、本発明の検索方法の各実施形態の説明を兼ねる。まず、本発明の検索装置の第１の実施形態の構成について、図１を参照して説明する。図１は、本発明の検索装置の第１の実施形態の構成図である。図１に示される検索装置は、フィードを検索する検索装置である。
【００１７】
図１に示されるように、検索装置１００は、フィードリーダ１０１から送信されるフィードリスト１０９とフィード記事１０２とを受信する。フィード記事１０２とは、フィードにより提供される情報である。以下、このフィード記事のことを単に記事とも記す。また、検索装置１００は、フィードリスト収集装置１０３と、ユーザ情報蓄積装置１０４と、ユーザ情報集計装置１０５と、記事検索装置１０６と、記事選別装置１０７と、記事蓄積装置１０８とを備える。
【００１８】
フィードリーダ１０１は、検索装置１００とフィードリストなどの情報を送受信する。フィードリスト収集装置１０３は、フィードリーダ１０１から各ユーザの情報を収集するための装置である。ユーザの情報とは、フィードリーダ１０１に登録しているフィードリスト１０９である。
【００１９】
ユーザ情報蓄積装置１０４は、各ユーザから収集したフィードリストを蓄積するための装置である。ユーザ情報集計装置１０５は、ユーザ情報蓄積装置１０４に蓄積されているユーザの情報を、例えばあるサイトの登録人数で集計するなど、さまざまな方法で集計するための装置である。
【００２０】
記事検索装置１０６は、記事選別装置１０７で選別した記事の中から、ユーザが入力した検索条件に合う記事を検索するための装置である。記事選別装置１０７は、記事蓄積装置１０８に蓄積された記事を、ユーザ情報蓄積装置１０４から取得したフィードリストの情報を使用して選別する装置である。
【００２１】
記事蓄積装置１０８は、Ｗｅｂ上のサイトから配信されるフィード記事１０２を蓄積しておくための装置である。ユーザから検索要求があった場合には、記事蓄積装置１０８に蓄積されている記事が検索対象となる。
【００２２】
ここで、本発明でいうフィードとは、Ｗｅｂサイトの見出しや要約などのメタデータを構造化して記述したデータである（図２)。図２は、本発明の検索装置の第１の実施形態
において使用されるフィードの概念図である。なお、本実施形態では、ＸＭＬをベースにしたフィードを用いるが、他の言語をベースにしたフィードも考えることができる。
【００２３】
次に、図１に示されるフィードリーダについて図３を参照して説明する。図３は、本発明の検索装置の第１の実施形態において、端末に表示されるフィードリーダの画面の概略図である。図３に示されるフィードリーダは端末のアプリケーションとして実現している。ただし、本発明では、必要なデータを収集可能であれば、たとえば、サーバにアクセスして実行されるＷＥＢアプリケーション型のフィードリーダでも良い。図３に示されるように、フィードリーダの画面は、フィードリストの画面３０１と、記事一覧を示す画面３０２と、ブラウザの画面３０３とを備える。ユーザは、フィードリスト３０１に示されるフィードを選択することにより、選択したフィードの情報を得ることができる。
【００２４】
次に、図４を参照して、本発明の検索装置の動作について説明する。図４は、本発明の検索装置の第１の実施形態の動作のフローチャートである。図４に示される動作は、本発明の検索装置の第１の実施形態によって記事が検索されるまでの処理の流れを示す。
【００２５】
本実施形態の検索装置は、検索処理の事前準備として、記事蓄積装置の中に検索対象となるフィード記事を蓄積している（Ｓ４０１）。これらのフィード記事は、Ｗｅｂページを回収するためのクローラによって収集されたものでも良いし、フィードリーダによって取り込まれた記事を収集してもよい。
【００２６】
また、ユーザが登録しているフィードリストも、フィードリスト収集装置によって検索
処理の前に収集されている（Ｓ４０２）。収集のタイミングは、サーバが一定の時間ごとに収集する場合や、ユーザがフィードリストに変更を加えたときに収集する場合や、ユーザが収集要求を行ったときに収集する場合などが考えられる。
【００２７】
さらに検索装置は、複数のユーザから収集したフィードリストに基づいて集計処理を行い（Ｓ４０３）、集計結果をユーザ情報蓄積装置へ蓄積する。ここで、Ｓ４０３における集計処理について図５を参照して説明する。図５は、本発明の検索装置の第１の実施形態において、あるサイトのフィードをフィードリストに登録している人の人数で集計する動作の概念図である。
【００２８】
図５に示されるように、本実施形態のユーザ情報集計装置は、各ユーザのフィードリストに基づいて、各サイト毎の登録人数を集計する。そして、本実施形態の検索装置は、図５に示されるような集計情報をあらかじめユーザ情報蓄積装置へ蓄積する。
【００２９】
次に、本発明の検索装置は、ユーザがキーワードを入力して検索を行った場合に検索処理を行う（Ｓ４０４)。ユーザが検索キーワードを入力し検索を行なうと、本発明の検索
装置の第１の実施形態は、ユーザからの検索要求を受けて検索キーワードを取得する。
【００３０】
次に記事選別装置によって、検索対象となる記事の絞込みを行なう。記事選別装置は、ユーザ情報蓄積装置に蓄積されているフィードリストの情報や、集計結果に基づいて、検索対象となる記事を選別する（Ｓ４０５）。
【００３１】
ここで、Ｓ４０５において行われる、図５に示されるフィードリストの集計結果を使い、一定数以上のユーザに登録されているフィードを選別する例を図６を参照して説明する。図６は、本発明の検索装置の第１の実施形態における検索対象記事の選別方法の概念図である。
【００３２】
本実施形態では、図５に示される集計結果から６０人以上のユーザから登録されているサイトのフィードだけを選別して検索対象とする。この場合、サイトＡ、サイトＢ、サイトＣ、サイトＤのフィードが選ばれる。これにより、本実施形態は、一部の人からだけ見られているようなＢｌｏｇサイトは検索対象から除外することができる。もちろん、選別条件としての人数は、適宜任意に変更することができる。
【００３３】
さらにここで、ユーザＡがフィードリーダに登録しているサイト（ユーザＡのフィードリストに含まれるサイト）を検索対象として含めることも可能である。この場合は、複数のユーザから見られていない個人のＢｌｏｇであっても、検索を要求したユーザがフィードリストに登録しているＢｌｏｇならば検索対象とすることが可能である。
【００３４】
記事検索装置は、以上のようにして選別されたフィードの記事に対してキーワード検索を行ない、結果を返す。すなわち、本実施形態の検索装置は、記事蓄積装置から記事を取得し（Ｓ４０６）、取得した記事に対して記事検索装置が検索を行い（Ｓ４０７）、検索結果を出力する（Ｓ４０８）。この時の検索方法は、何でも良く、例えば、一般的な検索に使用される記事の中にキーワードが現れるかどうかを判定する検索方法でよい。
【００３５】
以上のように、本発明の検索装置の第１の実施形態では、フィードリストに基づいて検索対象となる記事を選別し、選別された記事に対して検索を行っているため、ユーザにとって無駄な情報が提供されるのを排除することができる。
【００３６】
すなわち、本発明の検索装置の第１の実施形態は、主にインターネット上のＷｅｂページの最新情報を収集することに役立つフィード検索において、フィード記事を閲覧するた
めのツールであるフィードリーダから得たユーザの情報を使用して、検索するユーザに効率的に記事を選別して検索できるようにしたものである。
【００３７】
その結果、本発明の検索装置の第１の実施形態では、フィードリーダから獲得した情報を使用して検索対象を選別することにより、ユーザが興味のあるサイトは検索対象として残しつつ、個人の日記サイトなどを除外し、企業やニュースサイトの記事を検索することが可能になる。さらに、これらの情報は、フィードリーダから自動的に獲得されるため、ユーザが手動で情報を入力する必要がなくなる。
【００３８】
すなわち、本発明の検索装置の第１の実施形態は、フィード記事を閲覧するツールであるフィードリーダとフィードの検索装置とを、フィードリストの授受という形で連携させることで、フィードリーダからユーザの情報を獲得可能にし、この情報を利用してフィード検索装置が検索を行なうことにより、ユーザに無駄な情報が検索されることを防止する。
【００３９】
（第２の実施形態)
次に、本発明の検索装置の第２の実施形態について説明する。本実施形態の検索装置は、前述の本発明の検索装置の第１の実施形態に、既未読情報収集装置を追加したものである。
【００４０】
まず、本発明の検索装置の第２の実施形態の構成について図７を参照して説明する。図７は、本発明の検索装置の第２の実施形態の構成図である。検索装置７００は、フィードリーダ７０１から送信されるフィードリスト７１０と、既未読情報７１１と、フィード記事７０２とを受信する。また、検索装置７００は、フィードリスト収集装置７０３と、ユーザ情報蓄積装置７０４と、ユーザ情報集計装置７０５と、記事検索装置７０６と、記事選別装置７０７と、記事蓄積装置７０８と、既未読情報収集装置７０９とを備える。
【００４１】
フィードリーダ７０１は、ユーザの情報を検索装置７００との間で送受信する。フィードリスト収集装置７０３は、フィードリーダ７０１から各ユーザの情報を収集するための装置である。ユーザの情報とは、ここではフィードリーダ７０１に登録しているフィードリスト７１０などである。
【００４２】
ユーザ情報蓄積装置７０４は、各ユーザから収集したフィードリスト７１０と、既未読情報７１１とを蓄積するための装置である。ユーザ情報集計装置７０５は、ユーザ情報蓄積装置７０４に蓄積されているユーザの情報を、例えばあるサイトの登録人数で集計するなどの方法で集計するための装置である。
【００４３】
記事検索装置７０６は、記事選別装置７０７で選別した記事の中から、ユーザが入力した検索条件に合う記事を検索するための装置である。記事選別装置７０７は、記事蓄積装置７０８に蓄積された記事を、ユーザ情報蓄積装置７０４から獲得したフィードリストの情報や既未読情報を使用して選別する装置である。
【００４４】
記事蓄積装置７０８は、Ｗｅｂ上のサイトから配信されるフィードの記事を蓄積しておくための装置である。ユーザから検索要求があった場合には、記事蓄積装置７０８に蓄積されている記事が検索対象となる。
【００４５】
既未読情報収集装置７０９は、ユーザがフィードリーダを使ってどんな記事を読んだか、あるいは読んでいないかを示す既未読情報７１１をフィードリーダ７０１から収集する。収集された既未読情報は、フィードリストと同様にユーザ情報集計装置７０５で集計が行われ、この集計結果がユーザ情報蓄積装置７０４に蓄積される。
【００４６】
ここで、本実施形態のユーザ情報集計装置での集計方法について図８を参照して説明する。図８は、本発明の検索装置の第２の実施形態の集計方法の動作の概念図である。図８に示される例では、フィードが配信している記事毎に、当該記事を閲覧している人数の合計が集計されている。
【００４７】
次に、本発明の検索装置の第２の実施形態の動作について図９を参照して説明する。図９は、本発明の検索装置の第２の実施形態の動作のフローチャートである。フィード検索装置は、検索処理の事前準備として、記事蓄積装置の中に検索対象となるフィード記事を蓄積している（Ｓ９０１）。これらのフィード記事は、クローラによって収集されたものでも良いし、フィードリーダによって取り込まれた記事を収集してもよい。
【００４８】
また、ユーザが登録しているフィードリストも、ユーザ情報収集装置によって検索処理の事前に収集されている。収集のタイミングは、サーバが一定の時間ごとに収集ユーザがフィードリストに変更を加えたときに収集する場合や、ユーザが収集要求を行ったときに収集する場合などが考えられる。
【００４９】
さらにフィード検索装置は、複数のユーザから収集したフィードリストに基づいて集計処理を行って（Ｓ９０３）、集計結果をユーザ情報蓄積装置へ蓄積する。ここで、Ｓ９０２における集計方法についての説明は、前述の図５を参照して説明した場合と同様であるため省略する。
【００５０】
次に、本発明の検索装置の第２の実施形態は、既未読情報収集装置により、既未読情報を収集する（Ｓ９０４）。次に、本発明の検索装置は、ユーザがキーワードを入力して検索を行った場合に検索処理を行う（Ｓ９０５)。ユーザが検索キーワードを入力し検索を
行なうと、本発明の検索装置の第２の実施形態は、ユーザからの検索要求を受けて検索キーワードを取得する。
【００５１】
次に記事選別装置によって、検索対象となる記事の選別を行なう。記事選別装置は、ユーザ情報蓄積装置に蓄積されている情報に基づいて、検索対象となる記事を選別する（Ｓ９０６）。
【００５２】
ここで、Ｓ９０６において実施される、図８に示されるフィードリストの集計結果を使い、フィードを選別する例を図１０を参照して説明する。図１０は、本発明の検索装置の第２の実施形態における検索対象記事の選別方法の概念図である。
【００５３】
本実施形態の検索装置では、前述の第１の実施形態で説明したフィードリストの集計結果である閲覧人数に加えて、既未読情報の集計結果を用いて記事選別装置で検索対象の選別を行なう。たとえば、本実施形態は、図８に示される集計結果から、図１０のようにサイトごとの閲覧人数と１記事当たりの閲覧人数を求める。サイトごとの閲覧人数が１００人以上のフィードを選別すると、サイトＡ、Ｃ、Ｄが選ばれる。また、１記事当たりの閲覧人数を５以上とすると、サイトＡ、Ｂ、Ｃが選ばれる。もちろん、本実施形態では、サイトごとの閲覧人数や、１記事当たりの閲覧人数は任意に設定することができる。
【００５４】
記事検索装置は、以上のようにして選別されたフィードの記事に対してキーワード検索を行ない、結果を返す。すなわち、本実施形態の検索装置は、記事蓄積装置から記事を取得し（Ｓ９０７）、取得した記事に対して記事検索装置がキーワード検索を行い（Ｓ９０８）、検索された結果を出力する（Ｓ９０９）。この時の検索方法は、何でも良く、一般的な検索に使用される記事の中にキーワードが現れるかどうかを判定する検索方法でよい。
【００５５】
以上のように、本発明の検索装置の第２の実施形態によれば、前述の本発明の検索装置の第１の実施形態と同様の効果が得られると共に、ユーザの記事に対する既未読情報を用いてさらに選別対象となる記事を選別することが可能なため、よりユーザにユーザに有用な情報を検索することができる。
【００５６】
なお、上記本発明の検索装置の第１の実施形態及び第２の実施形態に示される各装置の動作を行うプログラムをメモリに記憶させ、検索装置がこのプログラムに基づいて動作するとしてもよい。
【００５７】
（付記１）
取得した情報を蓄積する蓄積手段と、
情報の配信先の端末から、情報のリストを取得する取得手段と、
前記情報のリストを蓄積するリスト蓄積手段と、
前記リストに基づいて、情報が何人に登録されているかを集計する集計手段と、
前記蓄積手段に蓄積された情報の中から、前記集計手段による集計結果に基づいて情報を選別する選別手段と、
前記選別された情報の中から、検索情報を用いて情報を検索する検索手段とを備える検索装置。
【００５８】
（付記２)
前記情報の配信先の端末から、情報を閲覧したか否かを示す既未読情報を取得する既未読情報取得手段を備え、
前記集計手段は、前記既未読情報に基づいて、情報が何人に閲覧されたかを集計し、
前記選別手段は、前記情報が何人に登録されているかの集計結果及び前記情報が何人に閲覧されているかを示す集計結果との少なくとも一方に基づいて情報を選別し、
前記検索手段は、前記選別された情報の中から、検索情報を用いて情報を検索する付記１記載の検索装置。
【００５９】
(付記３)
前記情報が、Ｗｅｂサイトの見出しや要約などのデータを記述したフィードである付記１の検索装置。
【００６０】
(付記４）
取得した情報を蓄積する蓄積工程と、
情報の配信先の端末から、情報のリストを取得する取得工程と、
前記情報のリストを蓄積するリスト蓄積工程と、
前記リストに基づいて、情報が何人に登録されているかを集計する集計工程と、
前記蓄積工程に蓄積された情報の中から、前記集計工程による集計結果に基づいて情報を選別する選別工程と、
前記選別された情報の中から、検索情報を用いて情報を検索する検索工程とを備える検索方法。
【００６１】
（付記５）
前記情報の配信先の端末から、情報を閲覧したか否かを示す既未読情報を取得する既未読情報取得工程を備え、
前記集計工程は、前記既未読情報に基づいて、情報が何人に閲覧されたかを集計し、
前記選別工程は、前記情報が何人に登録されているかの集計結果及び前記情報が何人に閲覧されているかを示す集計結果との少なくとも一方に基づいて情報を選別し、
前記検索工程は、前記選別された情報の中から、検索情報を用いて情報を検索する付記
４記載の検索方法。
【００６２】
（付記６）
前記情報が、Ｗｅｂサイトの見出しや要約などのデータを記述したフィードである付記４の検索方法。
【００６３】
（付記７）
コンピュータを、
取得した情報を蓄積する蓄積手段、
情報の配信先の端末から、情報のリストを取得する取得手段、
前記情報のリストを蓄積するリスト蓄積手段、
前記リストに基づいて、情報が何人に登録されているかを集計する集計手段、
前記蓄積手段に蓄積された情報の中から、前記集計手段による集計結果に基づいて情報を選別する選別手段、及び、
前記選別された情報の中から、検索情報を用いて情報を検索する検索手段として機能させる検索プログラム。
【００６４】
（付記８)
コンピュータを、
前記情報の配信先の端末から、情報を閲覧したか否かを示す既未読情報を取得する既未読情報取得手段として機能させ、
前記集計手段は、前記既未読情報に基づいて、情報が何人に閲覧されたかを集計し、
前記選別手段は、前記情報が何人に登録されているかの集計結果及び前記情報が何人に閲覧されているかを示す集計結果との少なくとも一方に基づいて情報を選別し、
前記検索手段は、前記選別された情報の中から、検索情報を用いて情報を検索する付記７記載の検索プログラム。
【００６５】
(付記９)
前記情報が、Ｗｅｂサイトの見出しや要約などのデータを記述したフィードである付記７の検索プログラム。
【図面の簡単な説明】
【００６６】
【図１】本発明の検索装置の第１の実施形態の構成図である。
【図２】本発明の検索装置の第１の実施形態において使用されるフィードの概念図である。
【図３】本発明の検索装置の第１の実施形態において、端末に表示されるフィードリーダの画面の概略図である。
【図４】本発明の検索装置の第１の実施形態の動作のフローチャートである。
【図５】本発明の検索装置の第１の実施形態において、あるサイトのフィードをフィードリストに登録している人の人数で集計する動作の概念図である。
【図６】本発明の検索装置の第１の実施形態における検索対象記事の選別方法の概念図である。
【図７】本発明の検索装置の第２の実施形態の構成図である。
【図８】本発明の検索装置の第２の実施形態の集計方法の動作の概念図である。
【図９】本発明の検索装置の第２の実施形態の動作のフローチャートである。
【図１０】本発明の検索装置の第２の実施形態における検索対象記事の選別方法の概念図である。
【符号の説明】
【００６７】
１００  検索装置
１０１  フィードリーダ
１０２  フィード記事
１０３  フィードリスト収集装置
１０４  ユーザ情報蓄積装置
１０５  ユーザ情報集計装置
１０６  記事検索装置
１０７  記事選別装置
１０８  記事蓄積装置
１０９  フィードリスト
３０１，３０２，３０３  画面
７００  検索装置
７０１  フィードリーダ
７０２  フィード記事
７０３  フィードリスト収集装置
７０４  ユーザ情報蓄積装置
７０５  ユーザ情報集計装置
７０６  記事検索装置
７０７  記事選別装置
７０８  記事蓄積装置
７０９  既未読情報収集装置
７１０  フィードリスト
７１１  既未読情報
【図１】
2006323648.tif 000003
【図２】
2006323648.tif 000004
【図３】
2006323648.tif 000005
【図４】
2006323648.tif 000006
【図５】
2006323648.tif 000007
【図６】
2006323648.tif 000008
【図７】
2006323648.tif 000009
【図８】
2006323648.tif 000010
【図９】
2006323648.tif 000011
【図１０】
2006323648.tif 000012